(57)【特許請求の範囲】
【請求項１】
プロセス工場のオペレータに提示される情報を制御するための方法であって、
プロセス工場表示ディスプレイの第１の形式を提示することと、
プロセス工場におけるオペレータ用表示画面の第１形式の選択可能要素がアクティブに設定された時に、プロセス工場表示ディスプレイの第１の形式において提示された情報の重要度を調節するために使用されることになる動的注視ユーザーインタフェースを提示することと、
該動的注視ユーザーインタフェースを介して調整された変数に基づいてプロセス工場表示ディスプレイの第２の形式を提示することと、
を含む方法。
【請求項２】
第１形式のある要素の重要度が比較的高いと変数が示す場合には、該要素が第２の形式では外見上ハイライトで強調表示されることを特徴とする請求項１に記載の方法。
【請求項３】
前記要素がプロセス工場の一台の設備に関連することを特徴とする請求項２に記載の方法。
【請求項４】
プロセス工場表示ディスプレイの第２形式において提示された情報が調節されたことを示すために前記選択可能な要素が外見上ハイライトで強調表示されることを特徴とする請求項２に記載の方法。
【請求項５】
第１形式のある要素の重要度が比較的低いと変数が示す場合、第２形式では該要素の外見上の可視度が低下するようになっていることを特徴とする請求項１に記載の方法。
【請求項６】
第１形式のある要素を無視することになっていると変数が示す場合、該要素が第２形式に含まれないことを特徴とする、請求項１に記載の方法。
【請求項７】
プロセス工場表示ディスプレイの要素が選択された場合に動的注視ユーザーインタフェースを提示することをさらに含む請求項１に記載の方法。
【請求項８】
プロセス工場表示ディスプレイがプロセス工場構成エンジニアによって定義されることを特徴とし、且つ、動的注視ユーザーインタフェースは、どのようにして情報をプロセス工場表示ディスプレイに提示するかをプロセス工場のオペレータが調節することを可能にする、ことを特徴とする請求項１に記載の方法。
【請求項９】
動的注視ユーザーインタフェースが、
前記重要度が調整される前記情報を識別する識別情報を入力する識別情報入力フィールドと、
変数の値を調節するためのスライダバーと
を備えることを特徴とする請求項１に記載の方法。
【請求項１０】
第１の形式の要素が第２形式において外見上ハイライトで強調表示されるようにすべく、スライダバーを第１の位置に置くことをさらに含む請求項９に記載の方法。
【請求項１１】
動的注視ユーザーインタフェースが、変数の調節が適用される時間を同定するための第２のテキスト入力フィールドをさらに備えることを特徴とする請求項９に記載の方法。
【請求項１２】
動的注視ユーザーインタフェースの第２の形式が提示された時に動的注視ユーザーインタフェースを調節するために変数を使用することをさらに含む請求項１に記載の方法。
【請求項１３】
動的注視ユーザーインタフェースを調節することには、第２の変数の値をあらかじめ書き入れることが含まれることを特徴とする請求項１２に記載の方法。
【請求項１４】
第２の変数が第１の変数と異なることを特徴とする請求項１３に記載の方法。
【請求項１５】
電子オペレーターログ、システム事象ログ、動的注視ログまたは動的注視データベースの少なくとも一つに変数を格納することをさらに含む請求項１に記載の方法。
【請求項１６】
プロセス工場のエンティティ、プロセス工場の状態、プロセス工場の変数、プロセス工場の設定点、構成データ、アラーム、状態、状態の変化、フラグ、フラグの変更、プロセス工場変数の変化、プロセス工場の状態の変化、アラームの優先度、アラームのタイプ、所要時間、新規の項目または新規の変数の少なくとも一つに変数が関連することを特徴とする請求項１に記載の方法。
【請求項１７】
表示ディスプレイと、
表示ディスプレイにオペレーターアプリケーションを提示するオペレータ用表示モジュールと、
オペレータからコンテンツフィルタリング規則を取得するために表示ディスプレイに提示される動的注視ユーザーインタフェースであって、前記動的注視ユーザーインタフェースは、重要度が調整される変数を識別する情報パラメータの重要度の入力を許可する情報入力フィールドを含む、前記動的注視ユーザーインタフェースと、
情報パラメータの重要度に基づいてオペレーターアプリケーションにより提示されたデータを調節するコンテンツフィルタ・モジュールと
を備えるオペレータステーション機器。
【請求項１８】
オペレーターアプリケーションの要素がアクティブに設定された時に、動的注視ユーザーインタフェースもアクティブになるように構成されていることを特徴とする請求項１７に記載の機器。
【請求項１９】
オペレータステーション機器が、プロセス工場制御システムのオペレータステーションを備えることを特徴とする請求項１７に記載の機器。
【請求項２０】
オペレーターアプリケーションまたは動的注視ユーザーインタフェースの少なくとも一つを表示ディスプレイ上で提示するためのオペレーティング・システムをさらに含む請求項１７に記載の機器。
【請求項２１】
コンテンツフィルタ・モジュールが、動作アプリケーションの要素をハイライトで強調表示するように、オペレーターアプリケーションの要素の外見上の可視度を低下されるように、または、オペレーターアプリケーションから要素を削除するように、オペレータ用表示モジュールを指示することによって、オペレーターアプリケーションにより提示されたデータを調節するためのものであることを特徴とする請求項１７に記載の機器。
【請求項２２】
オペレーターアプリケーションがプロセス工場構成エンジニアにより定義されることを特徴とし、且つ、動的注視ユーザーインタフェースが、オペレーターアプリケーションによってどのように情報を提示するかをオペレータが調節することを可能にすることを特徴とする請求項１７に記載の機器。
【請求項２３】
動的注視ユーザーインタフェースが、変数の値を調節するためのスライダバーを備えることを特徴とする請求項１７に記載の機器。
【請求項２４】
コンテンツフィルタ・モジュールが、動的注視ユーザーインタフェースの前回の使用に基づいて動的注視ユーザーインタフェースを調節するためのものであることを特徴とする請求項１７に記載の機器。
【請求項２５】
コンテンツフィルタ規則、オペレータ識別子、過去のコンテンツフィルタ規則、個人設定または担当区域の少なくとも一つを格納するための動的注視データベースをさらに含む請求項１７に記載の機器。
【請求項２６】
機械可読指示を格納する製造品であり、
前記機械可読指示は実行されると、
プロセス工場表示の第１の形式を提示し、
プロセス工場オペレータ用表示画面の第１の形式の選択可能要素がアクティブに設定された時に、プロセス工場表示の第１形式において提示された情報の重要度を調節するために使用されることになる動的注視ユーザーインタフェースを提示し、そして
動的注視ユーザーインタフェースを介して調整された変数に基づいてプロセス工場表示ディスプレイの第２の形式を提示することによって、
プロセス工場のオペレータに対して提示された情報を機械が制御するようになさしめることを特徴とする機械可読指示を格納する製造品。
【請求項２７】
機械可読指示は実行されると、第１形式の要素の重要度が比較的高いと変数が示す場合、プロセス工場表示ディスプレイの第２の形式において該要素の外見を機械がハイライトで強調表示するようになさしめる、ことを特徴とする請求項２６に記載の製造品。
【請求項２８】
機械可読指示は実行されると、第１形式の要素の重要度が比較的低いと変数が示す場合、プロセス工場表示ディスプレイの第２の形式において該要素の外見上の可視度を機械が低下するようになさしめる、ことを特徴とする請求項２６に記載の製造品。
【請求項２９】
機械可読指示は実行されると、第１形式の要素は無視されるべきものであると変数が示す場合、プロセス工場表示ディスプレイの第２の形式において該要素を機械が含まないようになさしめる、ことを特徴とする請求項２６に記載の製造品。
【請求項３０】
機械可読指示は実行されると、プロセス工場表示ディスプレイの要素が選択された場合、動的注視ユーザーインタフェースを機械が提示するようになさしめる、ことを特徴とする請求項２６に記載の製造品。
【請求項３１】
プロセス工場表示ディスプレイがプロセス工場構成エンジニアによって定義されることを特徴とし、且つ、動的注視ユーザーインタフェースが、プロセス工場表示ディスプレイによってどのように情報を提示するかをプロセス工場のオペレータが調節することを可能にすることを特徴とする、請求項２６に記載の製造品。
【請求項３２】
動的注視ユーザーインタフェースが、
前記重要度が調整される前記情報を識別する識別情報を入力する識別情報入力フィールドと、
変数の値を調節するためのスライダバーと
を備えることを特徴とする請求項２６に記載の製造品。
【請求項３３】
機械可読指示は実行されると、動的注視ユーザーインタフェースの第２の形式が提示された時に、機械が変数を使用して動的注視ユーザーインタフェースを調節するようになさしめる、ことを特徴とする請求項２６に記載の製造品。
【請求項３４】
動的注視ユーザーインタフェースを調節することには、第２の変数の値をあらかじめ書
き入れることが含まれることを特徴とする請求項３３に記載の製造品。
【請求項３５】
第２の変数が第１の変数と異なることを特徴とする請求項３３に記載の製造品。
【発明の詳細な説明】
【技術分野】
【０００１】
本開示は、概してプロセス工場に関し、より具体的にはプロセス工場のオペレータに提示される情報を制御するための方法と機器に関する。
【背景技術】
【０００２】
化学薬品の処理工程や、石油精製工程、またはその他のプロセス、システム、且つ又はプロセス工場において使用されるような分散形プロセス制御システムは通常、種々様々なアナログ、デジタルまたはアナログ・デジタル混在バスのいかなるものを介して、一つ又は複数のフィールド装置に通信可能に連結される一つ又は複数のプロセス制御素子を含んでいる。このようなシステム且つ又はプロセスにおいて、例えば、バルブ、バルブポジショナ、スイッチ且つ又はトランスミッタ（例えば、温度、圧力、レベルおよび流量のセンサ）を含むフィールド装置は、プロセス環境内に設けられており、プロセス・パラメータの測定やバルブの開閉などのプロセス制御、警報機能且つ又は管理機能を行う。プロセスコントローラもまた工場環境内に設けられうるものであり、フィールド装置により生成されたプロセス計測、且つ又はフィールド装置に関するその他の情報を示す信号を受信する。例えば受信された信号に基づいて、プロセスコントローラは、アラームの始動、プロセス制御に関する決定、制御信号の生成且つ又は、ＨＡＲＴやファウンデーション・フィールドバス（Ｆｏｕｎｄａｔｉｏｎ Ｆｉｅｌｄｂｕｓ）装置などのフィールド装置により実行されるその他の制御モジュール且つ又は機能ブロックとの協調を行うために、任意数の且つ又はいかなるタイプ（複数可）の制御モジュール、ソフトウェアモジュール、ソフトウェアサブシステム、ルーチン且つ又はソフトウェアスレッドを実現すべく、コントローラのアプリケーションを実行する。コントローラ（複数可）内の制御モジュールは、プロセス工場の動作を制御するフィールド装置に、通信線を通じて制御信号を送信する。
【０００３】
フィールド装置且つ又はコントローラからの情報は、通常、データハイウェイまたは通信ネットワークを通じて、一つ又は複数のその他のハードウェアデバイスから（例えば、オペレーターワークステーション、パーソナルコンピュータ、データヒストリアン、報告書作成ルーチン、集中化データベースなど）に利用可能なものとされる。一般に、このような装置は制御室に設置されたり、且つ又は比較的厳しい工場環境から離れたその他の場所に設置されたりする。例えば、作動状態の変更、プロセス制御ルーチン（複数可）の設定変更、プロセスコントローラ且つ又はフィールド装置内における制御モジュールの動作の修正変更、工程（複数可）の現状表示、フィールド装置且つ又はコントローラにより生成された警報アラームの表示、人員をトレーニング且つ又はプロセス制御ソフトウェアをテストする目的で行う工程（複数可）の動作のシミュレーション、構成用データベースの維持管理且つ又は更新などをはじめとするプロセス工場内の工程（複数可）に関する様々な機能のいずれかをオペレータが実行できるようにするアプリケーションは、これらのハードウェア装置により実行される。
【０００４】
一例として、エマソン・プロセスマネジメント社（Ｅｍｅｒｓｏｎ Ｐｒｏｃｅｓｓ Ｍａｎａｇｅｍｅｎｔ）の法人であるフィッシャー・ローズマウント・システムズ社（Ｆｉｓｈｅｒ―Ｒｏｓｅｍｏｕｎｔ Ｓｙｓｔｅｍｓ Ｉｎｃ．）により販売されるＤｅｌｔａＶ（登録商標）ディジタルオートメーションシステムは、可能性としてプロセス工場内の様々な異なる位置に設置されうる異なる装置内に格納された且つ又は異なる装置により実行される複数のアプリケーションをサポートしている。一つ又は複数のオペレーターワークステーション内に存在する且つ又は一つ又は複数のオペレーターワークステーションにより実行される構成用アプリケーションは、ユーザが、データハイウェイ且つ又は通信ネットワークを介し、専用分散コントローラに対してプロセス制御モジュールをダウンロードしたり、作成したり、且つ又は変更したりできるようにする。一般に、これらの制御アプリケーションは、通信可能に連結された且つ又は相互に接続される制御モジュール、ソフトウェアモジュール、ソフトウェアサブシステム、ルーチン、ソフトウェアスレッドで構成されている、且つ又は、受信された入力に基づいて制御機構内の機能（例えば、プロセス制御且つ又はアラーム生成）を実行するところの且つ又は制御機構内のその他のブロックに出力を提供するところの機能ブロックで構成されている。専用コントローラ（また、場合によってはフィールド装置）はそれぞれ実際のプロセス制御機能性を実施するために割り当てられた制御モジュールを実行する制御アプリケーションを格納する、且つ又は実行する。
【０００５】
また、構成用アプリケーションによって、構成エンジニアは、例えば表示作成アプリケーションを使って表示オブジェクトを構築且つ又は選択することにより、プロセス工場のオペレータや保全要員などにより使用される一つ又は複数の表示ディスプレイ（例えば観覧アプリケーション）を作成できるようになる。例えば、観覧アプリケーションは、プロセス工場のオペレータに対してデータを表示し、且つ又はプロセス制御ルーチンの設定点且つ又は作動状態などの設定をオペレータが変更できるようにする。一般にこれらの表示ディスプレイは、一つ又は複数を介してシステム全体を基盤として実施され、工場内の装置且つ又は制御システム（複数可）の作動状態（複数可）に関し事前に構成された表示画面をオペレータ且つ又は保全要員に提示する。例示的な表示ディスプレイは、プロセス工場内の装置またはコントローラにより生成されたアラームを受信且つ又は表示する警報アラーム表示画面、コントローラとプロセス工場内におけるその他の装置（複数可）の作動状態（複数可）を示す制御画面、プロセス工場内の装置（複数可）且つ又は設備の機能状態を示す保守保全画面などの形をとる。
【発明の開示】
【課題を解決するための手段】
【０００６】
プロセス工場のオペレータに提示される情報を制御するための方法と機器を開示する。プロセス工場表示ディスプレイの第１の形式を提示することと、プロセス工場におけるオペレータ用表示画面の第１形式の選択可能要素がアクティブに設定された時に（プロセス工場表示ディスプレイの第１形式に提示される情報の重要度を調節するために使用されることになる）動的注視ユーザーインタフェースを提示することと、動的注視ユーザーインタフェースを介して調整された変数に基づいてプロセス工場表示ディスプレイの第２形式を提示することとが、ここに開示される例示的なプロセス工場のオペレータに提示される情報を制御するための方法には含まれる。
【０００７】
ここに開示される例示的なオペレータステーション機器には、表示ディスプレイと、表示ディスプレイにオペレーターアプリケーションを提示するためのオペレータ用表示モジュールと、コンテンツフィルタリングの規則をオペレータから取得するために表示ディスプレイ上に提示される動的注視ユーザーインタフェースと、情報パラメータの重要度に基づいてオペレーターアプリケーションにより提示されたデータを調節するためのコンテンツフィルタ・モジュールとが含まれる。
【発明を実施するための最良の形態】
【０００８】
今日、工場担当要員、企画担当要員、操作担当要員および保全担当要員をはじめとする加工製造業に専門職として携わる者は、知的な決定を下すために取捨選択しなければならない情報量によって次第に圧倒されつつある。例えば、発生する可能性のある問題をプロセス工場のオペレータに通知するべく、プロセス制御システム内で数千ものアラームを定義することが極一般となっている。なおその上に、プロセス工場の担当要員により設定、制御、観覧且つ又は監視されうる何千ものプロセス制御変数が存在しうる。
【０００９】
一般に、ここに記載される機器と方法および製造品の実施の形態は、互いに注視を獲得しようと争う情報の優先度の調節をプロセス工場のオペレータが簡単に且つ又は動的に行えるようにするために使用されうる。今日、プロセス工場におけるオペレータ用表示画面の多くはあらかじめ構成されたものであり、プロセス工場のオペレータが個人の経験、個人的な好み、且つ又は現状に基づいて情報の表示を所望の状態に調節できない。このため、プロセス工場のオペレータに提示される情報が過多状態になり、且つ又は、極めて重要なプロセス工場条件をオペレータが見逃してしまうといった事態を引き起こす結果になる可能性もありうる。一方、プロセス構成エンジニアは、考えうる全ての状況を推定した上で、異なるプロセス工場の状態且つ又は条件に対応した且つ又は、個々のオペレータ且つ又は複数人から成るオペレータのグループに対応した異なるプロセス工場表示アプリケーションを設計することも可能ではあるが、このように数多くの表示アプリケーションを実施することは、高額な費用がかかるだけではなく維持管理が難しく（且つ、又はさもなければ、厄介であり）、ここに記載される例示的な方法と機器および製造品ほど柔軟・融通性がない。
【００１０】
特に、ここに記載される実施の形態は、動的注視ユーザーインタフェースを備えているので、プロセス工場の各オペレータ（且つ又は複数人から成るオペレータのグループ）が、どの情報、状態、状況、履歴、アラーム優先度、アラームのタイプ、アラーム且つ又はデータが重要（即ち、所謂「要注視」項目）であるか且つ又は、あまり重要でないか且つ又は、全く重要でないかに関しての優先度指定、順序付け、フラグ付け、且つ又は識別を可能にする。動的注視ユーザーインタフェースは、例えば構成データ、実時間データ、プロセス工場の状態、プロセス工場の変数、プロセス工場の設定点、アラーム、継続的な履歴、バッチ履歴、イベント履歴、アラーム概要表示、データ分析ソフトウェア、アラーム分析ソフトウェア、オペレーターログ且つ又はユーザーアクションなどの（通常プロセス制御ソリューション内に一つ又は複数設けられる情報収納箇所にて利用可能な）プロセス制御システムデータ且つ又は情報の優先度をオペレータが指定できるようにする。なおまた、計算、方程式、且つ又はその他の間接法に基づいて、優先されるべき項目を決定するようにしても良い。
【００１１】
例示的な動的注視ユーザーインタフェースは、スライダバーを採用する直感的ユーザーインタフェースを備え、このスライダバーを介してプロセス制御データ且つ又は情報の重要度が優先される且つ又は永続的なものにされる。いくつかの実施の形態では、一定期間入力された優先順位を収集でき、各オペレータの現行優先項目一式、且つ又は履歴に記憶される優先項目一式に基づいて、それ以外に優先されるべき項目を提案するために該収集データを使用しうる。オペレータの優先項目リストに表示される項目を、あらかじめ構成且つ又は確定する必要はない。オペレータの優先リストは、各オペレータによる、または別のオペレータによるマニュアル操作で選択且つ又は制御可能である、且つ又は、自動的に調節、構成、且つ又はデータ投入しうる。例えば、オペレータは、特定の設備を（例えば最近の作動の調子が良くない場合などに）他の設備よりも注意して監視するようにしても良いし、また、リストからマニュアル操作で項目を追加且つ又は削除しても良いし、あらかじめ構成されたリストで諸項目をオペレータに提示するようにしても良いし、且つ又は、プロセス工場の動特性に基づいて自動的に且つ又は動的に諸項目をリストから追加且つ又は削除するようにしても良い。
【００１２】
その後、オペレータ用表示アプリケーションにより、且つ又はオペレータ用表示アプリケーション内においてどの情報をどのようにして提示するかを調節するために、動的注視ユーザーインタフェースを介してプロセス工場のオペレータにより指定且つ又は供給された一つ又は複数のフィルタリング規則を使用しうる。適用されたフィルタリング規則は、電子オペレーターログ、システム事象ログ、動的注視データベース、且つ又は動的注視ログなどのデータ記憶機構に記録することもできる。
【００１３】
図１は例示的なプロセス制御システム１０５の概略図である。図１の例示的なプロセス制御システム１０５は、一つ又は複数のプロセスコントローラ（図１においては、うち一つが１１０の参照番号で図示されている）と、一つ又は複数のオペレータステーション（図１においては、うち一つが１１５の参照番号で図示されている）と、一つ又は複数のワークステーション（図１においては、うち一つが１２０の参照番号で図示されている）とを含んでいる。例示的なプロセスコントローラ１１０、例示的なオペレータステーション１１５とワークステーション１２０は、一般にアプリケーション制御ネットワーク（ＡＣＮ：Ａｐｐｌｉｃａｔｉｏｎ Ｃｏｎｔｒｏｌ Ｎｅｔｗｏｒｋ）と指称されるローカル・エリア・ネットワーク（ＬＡＮ）且つ又はバス１２５を介して通信可能に連結されている。
【００１４】
プロセス工場のオペレータが、プロセス工場の変数を観覧したり、プロセス工場の状態を観覧したり、プロセス工場の条件を観覧したり、プロセス工場の警報アラームを観覧したり、且つ又は（例えば設定点且つ又は動作状態、アラームのクリア、アラーム音の停止、など）プロセス工場の設定を変更したりできるようにするところの一つ又は複数のオペレータ用表示画面且つ又はアプリケーションをプロセス工場のオペレータが観覧且つ又は操作することが、図１の例示的なオペレータステーション１１５によって可能になる。一般に、かかる画面且つ又はアプリケーションはプロセス構成エンジニアにより設計且つ又は実施される。以下、図１の例示的なオペレータステーション１１５を実施する例示的な方法を、図２を参照して説明する。さらに、例示的なオペレータステーション１１５を実施するのに使用しうる例示的なオペレータ用表示アプリケーションを、図３、図４および図５を参照して以下説明する。
【００１５】
どの情報、状態、状況、履歴、アラーム優先度、アラームのタイプ、アラーム且つ又はデータが特定のオペレータ用表示画面に対して重要であるか且つ又は、あまり重要でないか且つ又は、全く重要でないかに関しての優先度指定、順序付け、フラグ付け、且つ又は識別をプロセス工場のオペレータが行えるようにするために図１の例示的なオペレータステーション１１５は、動的注視ユーザーインタフェース（例えば図４の例示的な動的注視ユーザーインタフェース）を含んでいる、且つ又は実施する。動的注視ユーザーインタフェースは、プロセス・オートメーションシステム・データ且つ又は情報の優先度をオペレータが指定できるようにする。かかるプロセス・オートメーションシステムのデータ且つ又は情報は、通常プロセス制御ソリューション内に一つ又は複数設けられる情報収納箇所にて利用可能であり、その例としては、例えば構成、実時間データ、プロセス工場の状態、プロセス工場の変数、プロセス工場の変数変化、プロセス工場の状態変化、状況、履歴期間（例えば１５分、１時間、４時間、など）、アラームのタイプ（例えば装置、工程、ハードウェア、など）、アラーム優先順位、新規変数、変更した変数、プロセス工場の設定点、アラーム、継続的履歴、バッチの履歴、イベントの履歴、アラーム概要表示、データ分析ソフトウェア、アラーム分析ソフトウェア、オペレーターログ、プロセス逸脱、新規アラーム、傾向、且つ又はユーザーアクションなどが挙げられる。なおまた、計算、方程式、且つ又はその他の間接法に基づいて、優先されるべき項目を決定するようにしても良い。
【００１６】
動的注視ユーザーインタフェースを介してプロセス工場のオペレータにより一つ又は複数のフィルタリング規則が指定且つ又は供給される場合、図１の例示的なオペレータステーション１１５は、特定のオペレータ用表示アプリケーションにより且つ又はそれの中でどのデータ且つ又は情報が提示されるか、且つ又はどのようにしてデータ且つ又は情報が提示されるかを調節する。いくつかの実施の形態では、オペレータステーション１１５は、適用されたフィルタリング規則をデータ記憶機構（電子オペレーターログ、システム事象ログ、動的注視データベース、且つ又は動的注視ログなど）に格納する。それに加えて、又はその代わりとして、例示的なオペレータステーション１１５は、オペレータにより入力された優先事項を収集し、後で各オペレータの現行「要注視」項目一式、且つ又は「要注視」項目の履歴に基づいて、それ以外に優先されるべき項目を提案するためにその収集データを使用しうる。オペレータの優先項目リストに表示される項目は、動的なものでありうるので、各オペレータにより選択且つ又は制御可能である、且つ又は、プロセス工場の動特性に基づいて自動的にリストから追加且つ又は削除しうる。それに加えて、又はその代わりとして、オペレータの優先項目リストに表示される項目は、あらかじめ構成且つ又は確定されている必要はなく、 オペレータの優先リストは、各オペレータによる、または別のオペレータによるマニュアル操作で選択且つ又は制御可能である、且つ又は、自動的に調節、構成、且つ又はデータ投入しうる。
【００１７】
図１の例示的なワークステーション１２０は、一つ又は複数の情報技術アプリケーション、ユーザ対話型アプリケーション、且つ又は通信アプリケーションを実行するためのアプリケーションステーションとして構成されうる。例えば、プロセス制御関連のアプリケーションを主として実行するようにアプリケーションステーション１２０を構成し、その間、別のアプリケーションステーション（図示せず）を、プロセス制御システム１０５がいかなる所望の通信媒体（例えばワイヤレス、配線接続式、など）およびプロトコル（例えばＨＴＴＰ、ＳＯＡＰ、など）を用いてその他の装置またはシステムと通信できるようにする通信アプリケーションを主として実行するように構成しても良い。図１の例示的なオペレータステーション１１５と例示的なワークステーション１２０は、一つ又は複数のワークステーション且つ又はその他いかなる適切なコンピュータ・システム且つ又は処理システムを用いて実施しうる。例えば、シングルプロセッサのパソコン、シングルプロセッサまたはマルチプロセッサのワークステーションなどを使用してオペレータステーション１１５且つ又はワークステーション１２０を実施することも可能である。
【００１８】
図１の例示的なＬＡＮ１２５は、いかなる所望の通信媒体とプロトコルを使用して実施しうる。例えば、例示的なＬＡＮ１２５は、配線接続式の且つ又はワイヤレスのイーサネット通信方式によって構成しうる。但し、その他いかなる適切な通信媒体且つ又はプロトコルを使用できることは、通常の技術を有する当業者であれば容易に理解できるはずである。さらに、図１ではＬＡＮ１２５が一つだけ設けられているが、二つ以上のＬＡＮ且つ又はその他の代替的な通信系ハードウェアを使用して、図１の例示的なシステム間に冗長通信路を提供するようにしても良い。
【００１９】
図１の例示的なコントローラ１１０は、デジタルデータ・バス１３５と入・出力（Ｉ／Ｏ）ゲートウェイ１４０を介して複数のスマート・フィールド装置１３０、１３１および１３２に連結される。スマート・フィールド装置１３０−１３２はフィールドバス対応のバルブ、アクチュエータ、センサなどありえ、この場合、スマート・フィールド装置１３０−１３２は、周知のファウンデーション・フィールドバス・プロトコルを使用し、デジタルデータ・バス１３５を介して通信を行う。もちろんその他のタイプのスマート・フィールド装置や通信プロトコルを代わりに使用しても良い。例えば、スマート・フィールド装置１３０−１３２は、周知のプロフィバスおよびＨＡＲＴ通信プロトコルによりデータバス１３５を介して通信するプロフィバス（Ｐｒｏｆｉｂｕｓ）且つ又はＨＡＲＴ対応の装置でありうる。（Ｉ／Ｏゲートウェイ１４０と類似する且つ又は同一の）Ｉ／Ｏ装置を追加してコントローラ１１０に連結することによって、ファウンデーション・フィールドバス装置やＨＡＲＴ装置などでありうるスマート・フィールド装置のさらに別の付加グループがコントローラ１１０と通信できるようにしても良い。ただ、かかるスマート・フィールド装置は、非スマート・フィールド装置よりさらに多くのデータ且つ又は情報を提供しうるので、ここに記載される方法および機器が解決しようとしている情報過多問題の一因となりうる。
【００２０】
例示的なスマート・フィールド装置１３０−１３２に加えて、一つ又は複数の非スマート・フィールド装置１４５および１４６を例示的なコントローラ１１０に通信可能に連結しうる。図１の例示的な非スマート・フィールド装置１４５および１４６は、例えば、めいめいの配線接続式リンクを介してコントローラ１１０と通信する従来の４−２０ミリアンペア（ｍＡ）または０−１０ボルト直流（ＶＤＣ）装置でありうる。
【００２１】
図１の例示的なコントローラ１１０は、例えば、エマソン・プロセスマネジメント社の法人であるフィッシャー・ローズマウント・システムズ社により販売されるＤｅｌｔａＶ（登録商標）コントローラでありうる。但し、その他のコントローラを代わりに使用することも可能である。さらに、図１にはコントローラ１１０が一つだけ備えられた状態で示されているが、いかなる所望のタイプ（且つ又はいかなる所望のタイプの組合せ）のコントローラ且つ又はプロセス制御プラットフォームを追加してＬＡＮ１２５に連結することもきる。いかなる場合も、例示的なコントローラ１１０は、オペレータステーション１１５を使用しシステム・エンジニア且つ又はその他のシステム・オペレータにより生成され且つコントローラ１１０でインスタンス化且つ又はダウンロードされたプロセス制御ルーチンのうち、プロセス制御システム１０５に関連する一つ又は複数のプロセス制御ルーチンを実行する。
【００２２】
図１には、より詳細にわたり後述されるプロセス工場のオペレータに提示される情報を制御するための方法と機器を都合に合わせて採用しうる例示的なプロセス制御システム１０５が図示されているが、希望する場合は、図１の示される実施の形態よりも複雑な（または図１の示される実施の形態ほど複雑でない）その他のプロセス工場且つ又はプロセス制御システム（例えば二箇所以上の地理的な位置にわたり設置されている二つ以上のコントローラを備えている、など）においてもここに記載されるプロセス工場のオペレータに提示される情報を制御するための方法と機器を都合に合わせて採用しうることは、通常の技術を有する当業者ならば容易に理解できるはずである。
【００２３】
図２は、図１の例示的なオペレータステーション１１５を実施するための例示的な方法を示す。図２の例示的なオペレータステーション１１５は、少なくとも一つのプログラム可能プロセッサ２０５を含んでいる。図２の例示的なプロセッサ２０５は、プロセッサ２０５のメインメモリ２１０（例えば、ランダム・アクセス・メモリー（ＲＡＭ）且つ又は読み出し専用メモリー（ＲＯＭ）の中）にあるコード化指令を実行する。プロセッサ２０５は、プロセッサコア、プロセッサ且つ又はマイクロコントローラなど、いかなるタイプの処理装置でありうる。プロセッサ２０５は、その他存在するものの中でもオペレーティング・システム２１５、オペレータ用表示モジュール２２０、ユーザーインタフェース２２５、コンテンツフィルタ・モジュール２３０、そして動的注視データベース２４５を実行しうる。例示的なオペレーティング・システム２１５は、マイクロソフトのオペレーティング・システムでありうる。図２の例示的なメインメモリ２１０は、プロセッサ２０５により且つ又はプロセッサ２０５内で実施しうる、且つ又は、プロセッサ２０５に動作可能な状態で連結される一つ又は複数のメモリ且つ又はメモリ素子でありうる。
【００２４】
オペレータが例示的なプロセッサ２０５と対話できるようにするために、図２の例示的なオペレータステーション１１５はいかなるタイプの表示ディスプレイ２３５を含みうる。例示的な表示ディスプレイ２３５の例としてはこれらに限定されないが、プロセッサ２０５（且つ又は、さらに概して言うと例示的なオペレータステーション１１５）により実施されるユーザーインタフェース且つ又はアプリケーションを表示する能力を有するコンピューターモニタ、コンピュータースクリーン、テレビ受像機、モバイル機器（例えば、高度自動機能電話、Ｂｌａｃｋｂｅｒｒｙ「ブラックベリー」且つ又はｉＰｈｏｎｅ「アイフォン」）などが挙げられる。
【００２５】
図２の例示的なオペレーティング・システム２１５は、例示的な表示ディスプレイ２３５により且つ又は例示的な表示ディスプレイ２３５にて、アプリケーション・ユーザーインタフェース（例えば、例示的なユーザーインタフェース２２５のいかなるもの）を表示する、且つ又はアプリケーション・ユーザーインタフェースの表示を容易にする。オペレータが例示的なオペレータステーション１１５により実施されるアプリケーションとの対話を容易に行えるように、例示的なオペレーティング・システム２１５は、アプリケーション・プログラミング・インターフェース（ＡＰＩ）を実施する。また、このアプリケーション・プログラミング・インターフェース（ＡＰＩ）によって、例示的なオペレータ用表示モジュール２２０且つ又は、例示的なコンテンツフィルタ・モジュール２３０が、ユーザーインタフェース２２５を選択且つ又は定義できるようになり、オペレーティング・システム２１５が定義且つ又は選択されたユーザーインタフェース２２５を表示するようにする、且つ又は、定義且つ又は選択されたユーザーインタフェース２２５を表示するようにオペレーティング・システム２１５に指示を与える。以下、図３〜図５を参照して例示的なユーザーインタフェース２２５を説明する。
【００２６】
プロセス工場のオペレータ用表示画面且つ又はアプリケーションを提示するために、図２の例示的なオペレータステーション１１５は、例示的なオペレータ用表示モジュール２２０を含んでいる。図２の例示的なオペレータ用表示モジュール２２０は、一つ又は複数のプロセスコントローラ（例えば図１の例示的なコントローラ１１０）且つ又はプロセス工場制御システムのその他の要素からデータ且つ又は情報を収集し、プロセス工場の且つ又はオペレータにより選択されたプロセス工場の一部分の状態に基づいて特定のユーザーインタフェース２２５（例えば図３且つ又は図５の例示的なインターフェースのいずれか）を作成且つ又は定義する該収集データ且つ又は情報を使用する。該作成且つ又は定義された表示ディスプレイは、例示的なオペレーティング・システム２１５を介して且つ又は例示的なオペレーティング・システム２１５により例示的な表示ディスプレイ２３５に表示される。また、例示的なオペレータ用表示モジュール２２０は、（例えば、オペレータが、ユーザーインタフェース２２５のユーザーインタフェース要素を選択、調整且つ又は操作するのに応答して）ユーザーインタフェース２２５を介してオペレータの入力を受け取り、適切な指令およびデータ且つ又は情報をコントローラ１１０（且つ又は、さらに概して言うとプロセス制御システム１０５）に送る。
【００２７】
オペレータ用表示モジュール２２０により提供された表示ディスプレイのユーザが、（例えばオペレータ用表示画面上の要素且つ又はグラフィックを選択することによって）オペレータ・データ且つ又は情報を優先的に表示することを望んでいる旨を示すと、例示的なオペレータ用表示モジュール２２０は、動的注視ユーザーインタフェース（例えば、図４の例示的なインターフェース）を提示する。前回表示されたオペレーターアプリケーションに加えて、またはそれの代わりに、動的注視ユーザーインタフェースを表示するようにしても良い。
【００２８】
オペレータ用表示モジュール２２０により提示されたデータ且つ又は情報の優先度を指定するために、図２の例示的なオペレータステーション１１５には、例示的なコンテンツフィルタ・モジュール２３０が含まれている。図２の例示的なコンテンツフィルタ・モジュール２３０は、動的注視ユーザーインタフェース（例えば図４の例示的なインターフェース）を介して提供されるオペレータの入力に基づいて、コンテンツフィルタ用規則を生成する。このコンテンツフィルタリング規則は、表示されるべきデータ且つ又は情報の相対的優先順位を表すものである。例えば、特定のプロセスモジュールに関連するデータが、無視すべきデータとして動的注視ユーザーインタフェースを介して選択されている場合、コンテンツフィルタ・モジュール２３０は、当該のプロセスモジュールに関連するプロセス制御データ且つ又は情報をオペレータ用表示モジュール２２０が受信することを阻害且つ又は防止する。それに加えて、又はその代わりとして、コンテンツフィルタ・モジュール２３０は、オペレータ用表示モジュール２２０により現在実行されているオペレーターアプリケーションのユーザーインタフェース要素を表示するかどうか、且つ又はどのように表示するかについて、（例えば、例示的なオペレータ用表示モジュール２２０により提供されるＡＰＩを介して）指示できる。例えば、特定のユーザーインタフェース要素且つ又はグラフィックをハイライトで強調表示するようにとの指令、且つ又は特定のユーザーインタフェース要素且つ又はグラフィックの外見上の可視度を低下させる（例えば灰色に塗りつぶす）ようにとの指令、且つ又は特定のユーザーインタフェース要素且つ又はグラフィックを表示しない且つ又は省略するようにとの指令をもって、オペレータ用表示モジュール２２０を指示することができる。例示的なコンテンツフィルタ・モジュール２３０による指示を受けた場合且つ又は受けた時点で、例示的なオペレータ用表示モジュール２２０は、現在例示的な表示ディスプレイ２３５に表示中の該当するオペレータ用表示画面且つ又はオペレーターアプリケーションを更新する。かかる更新済アプリケーション且つ又は表示ディスプレイは、コンテンツフィルタリングが現在有効であることを示すユーザーインタフェース要素且つ又はグラフィックを含みうる。いくつかの実施の形態では、一人のオペレータによりなされた優先順位の選択は、他のオペレータに提示される表示ディスプレイ且つ又はアプリケーションにも適用されうる。さらに、優先順位の選択は、例えば、電子オペレーターログ、システム事象ログ、動的注視データベース（例えば後述のサンプルデータベース２４５）、且つ又は動的注視ログに格納しうる。
【００２９】
いくつかの実施の形態では、例えば、命にかかわりうるような安全性に関する状態、または設備の破損につながりうる状態、且つ又はプロセス工場内のいかなる構成またはプログラム限界（例えば、ＨＩＨＩアラーム且つ又はＬＯＬＯアラーム）に関連した情報やデータ且つ又はアラームの表示をオペレータが無効にしようすると、例示的なオペレータ用表示モジュール２２０且つ又は、例示的なコンテンツフィルタ・モジュール２３０が、オペレータの入力をオーバーライドして無効にし、プロセス工場の持続的な安全稼動を保証するようにしうる。
【００３０】
例示的なコンテンツフィルタ・モジュール２３０により使用されたデータ且つ又は情報を格納するために、図２の例示的なオペレータステーション２１０には動的注視データベース２４５が含まれている。いかなるタイプ（複数可）且つ又は任意数のデータベースの記録およびフィールド且つ又はエントリを利用して、図２の例示的な動的注視データベース２４５は、コンテンツフィルタ・モジュール２３０により使用されるデータ且つ又は情報を格納し、それに基づいて一つ又は複数のオペレータに対して、コンテンツフィルタを制御したり、適用されたコンテンツフィルタを記録する、且つ又は、動的に且つ又は自動的に要注視項目を提案する。例示的な動的注視データベース２４５に格納しうる例示的なデータ且つ又は情報の例としてはこれらに限定されないが、ユーザープロファイル（例えば氏名、役職、個人設定、担当区域、など）、要注視項目を自動的に且つ又は動的に作成する際の補助を提供する規則、要注視項目且つ又は設定に関する履歴の且つ又は現状の統計データ（どの要注視情を提示すべきかに関する予測を容易にするためのもの）、各ユーザがマニュアル操作で追加したデータのリスト、各オペレータステーションに対してマニュアル操作で追加されたデータのリスト、などが挙げられる。いかなるタイプ（複数可）且つ又は任意数のメモリ（複数可）且つ又はメモリ素子を使用して、例示的な動的注視データベース２４５を格納してもよい。
【００３１】
図２の例示的なコンテンツフィルタ・モジュール２３０は、それに加えて、又はその代わりとして、現在の且つ又は過去のコンテンツフィルタ規則の入力（例えば、動的注視ユーザーインタフェースを介して受信されたデータ且つ又は情報）を収集且つ又は記録し、推奨された項目の優先度決定を提供するために収集された入力を使用することもできる。例えば、オペレータが動的注視ユーザーインタフェースを始動すると、コンテンツフィルタ・モジュール２３０が、オペレータによる履歴に基づく優先度選択に基づいて、推奨されたフィールド且つ又は値にデータをあらかじめ書き入れることができる。
【００３２】
図２には図１の例示的なオペレータステーション１１５を実施する例示的な方法が示されているが、図２に示されるデータ構造、要素、プロセスおよび装置を、いかなる別の方法で組み合わせても、分割しても、配置し直しても、省略しても、取り除いても、且つ又は実施しても良い。さらに、図２の例示的なオペレーティング・システム２１５、例示的なオペレータ用表示モジュール２２０、例示的なユーザーインタフェース２２５、例示的なコンテンツフィルタ・モジュール２３０、且つ又は、さらに概して例示的なオペレータステーション１１５は、ハードウェア、ソフトウェア、ファームウェアにより且つ又は、ハードウェア且つ又はソフトウェア且つ又はファームウェアのいかなる組合せにより実施しうる。さらにまた、例示的なオペレータステーション１１５には、図２に示されるものの代わりに、またはそれに加えて、付加的な要素、プロセス且つ又は装置を含みうる、且つ又は、いかなるまたはすべての図示されるデータ構造、要素、プロセスおよび装置を二つ以上含みうる。
【００３３】
図３および図５は、オペレータ用表示画面且つ又はオペレーターアプリケーション（且つ又は、さらに概して言うと図１の例示的なオペレータステーション１１５）を実施するために使用しうる例示的なユーザーインタフェースを示す。図５の例示的なユーザーインタフェースは、図２の例示的なオペレータ用表示モジュール２２０が表示データ且つ又は情報の優先度決定に関する指示を例示的なコンテンツフィルタ・モジュール２３０から受け取った後の、図３の例示的なユーザーインタフェースの第２の形式である。
【００３４】
プロセス・データ且つ又は情報を表示するために、図３の例示的なユーザーインタフェースは、任意数の表示ユーザーインタフェース要素（図３では、うち三つが３０５、３１０および３１５の参照番号で図示）を含んでいる。例示的な表示要素３０５は、右端（ＬＩＣ＿ＴＡＮＫ３）タンク内の現在の液面レベルを表示する。同様に、例示的な表示要素３１０は、左端タンク内の現在の液面レベルを表示する。例示的な表示要素３１５は、タンクＬＩＣ＿ＴＡＮＫ３に関する追加情報がオペレータに利用可能であることを示す。
【００３５】
オペレータがオペレーターアプリケーションを制御できるようにするために、図３の例示的なユーザーインタフェースには一つ又は複数の制御ユーザーインタフェース要素（図３では、うち一つが３２０の参照番号で図示）が含まれている。図３の例示的な制御要素且つ又はグラフィック３２０によって、オペレータが、図３の例示的なユーザーインタフェースに表示されるデータ且つ又は情報の優先度決定を有効にする且つ又は構成することができるようになる。例示的な制御要素３２０は選択されると、オペレータ用表示モジュール２２０に動的注視ユーザーインタフェース（例えば図４の例示的なインターフェース）を表示させる。
【００３６】
図４は、図１の例示的なオペレータステーション１１５を実施するために使用しうる例示的な動的注視ユーザーインタフェースを示す。図４の例示的な動的注視ユーザーインタフェースは、一つ又は複数のフィールド（図４では、うち一つが４０５の参照番号で図示）と、一つ又は複数の関連するスライダバー（図４では、うち一つが４１０の参照番号で図示）とを備えている。図４の例示的な動的注視ユーザーインタフェースのユーザは、変数且つ又はキーワード（例えば「ＬＩＣ＿ＴＡＮＫ３」）を例示的なフィールド４０５に入力して例示的なスライダバー４１０を調節することにより、ＬＩＣ＿ＴＡＮＫ３に関する情報且つ又はデータを表示する優先順位をプロセス工場のその他の部分に相対させて調節することができる。図４に示される実施の形態ではスライダバー４１０が左端の位置に設置されている。これは、ＬＩＣ＿ＴＡＮＫ３に関連する全情報を抑制する（例えば、表示しない）ことになっている、という意味を示す。
【００３７】
表示情報且つ又はデータの優先順位が現在のオペレータ用表示画面且つ又はアプリケーションにだけ適用されたのか、それとも他の表示ディスプレイに適用されたのかどうかを示すために、図４の例示的な動的注視ユーザーインタフェースは、一つ又は複数のチェックボックス（図中、うち一つが４１５の参照番号で図示）を含んでいる。例示的なチェックボックス４１５が有効になっている（例えば、「レ」または「Ｘ」を含んでいる）場合、チェックボックス４１５に関連する優先順位スライダーは、現在のオペレータ用表示画面且つ又はアプリケーションにだけ適用される。例示的なチェックボックス４１５がチェックされていない（例えば、空白且つ又は空である）場合、オペレータは、当該監視対象の項目が存在するその他全ての表示を（動的注視ユーザーインタフェースから）ナビゲートする能力を有する。
【００３８】
優先順位が適用される期間はどれほどか示すために、図４の例示的な動的注視ユーザーインタフェースには、一つ又は複数のテキストボックス（図中、うち一つが４２０の参照番号で図示）が含まれている。例示的なテキストボックス４２０が空白でない場合、テキストボックス４２０に関連する優先順位スライダーがオペレータ用表示画面（複数可）に適用されることになっている残存時間量がテキストボックス４２０の中に示される。残存時間が終了すると、関連する要素の優先順位はもはや適用されない。例示的なテキストボックス４２０が空白である場合、オペレータ用表示画面にテキストボックス４２０に関連する優先順位スライダーが無期限に適用されることになっている。
【００３９】
図５の例示的なユーザーインタフェースは、図２の例示的なコンテンツフィルタ・モジュール２３０且つ又は、例示的なオペレータ用表示モジュール２２０がＬＩＣ＿ＴＡＮＫ３のプロセス制御データ且つ又は情報の優先度決定を適用した後の、図３の例示的なユーザーインタフェースの第２の形式である。図３と比較すると、表示ユーザーインタフェース要素５０５が灰色に塗りつぶされており（ＬＩＣ＿ＴＡＮＫ３の液面レベルの優先順位が低下したことを示す）、表示ユーザーインタフェース要素５１０がここでは空白になっている。表示優先が有効であることを示すべく、図３の例示的な制御ユーザーインタフェース要素３２０が図５ではハイライトで強調表示されている。
【００４０】
図６は、図１且つ又は図２の例示的なオペレータステーション１１５に対して行いうる例示的なプロセスを示すフローチャートである。図６の例示的なプロセスは、プロセッサ、コントローラ且つ又はその他いかなる適切な処理装置により実行しうる。例えば、図６の例示的なプロセスは、プロセッサ（例えば、図７を参照して後述される例示的なプロセッサ７０５）に関連するフラッシュメモリ、ＲＯＭ且つ又はランダム・アクセス・メモリーＲＡＭなどの有形機械アクセス可能または判読可能媒体に格納されたコード化指令によって具現化しうる。あるいは、特定用途向け集積回路（ＡＳＩＣ）（複数可）、プログラム可能論理回路（ＰＬＤ）（複数可）、フィールド・プログラム可能論理回路（ＦＰＬＤ）（複数可）、離散論理、ハードウェア、ファームウェアなどのいかなる組合せを使用しても、図６の例示的な動作のいくつかまたは全てを実施しうる。さらに、図６に示される動作の一つ又は複数を、マニュアル操作で実施しうる、または前述のいかなる技法のいかなる組合せ（例えば、ファームウェア、ソフトウェア、離散論理且つ又はハードウェアのいかなる組合せ）として実施しうる。さらに、図６の例示的なプロセスは図６のフローチャートに関連して説明されているが、その他の多くの方法を採用して図６の例示的なプロセスを実施しても良いことは、通常の技術を有する当業者ならば容易に理解できるはずである。例えば、ブロックの実行命令は変更されうるものであり、且つ又は、記載されるブロックのいくつかは、変更、削除、再分割、または混合されうるものである。加えて、図６の例示的な動作のいかなるものまたは全ては、例えば、別の処理スレッド、プロセッサ、装置、離散論理、回路などにより並行させて行いうること、且つ又は順次に行いうることも、通常の技術を有する当業者ならば理解できるはずである。
【００４１】
図６の例示的なプロセスは、ユーザーインタフェース（例えば図３の例示的なユーザーインタフェース）を表示するオペレータステーション（例えば、例示的なオペレータ用表示モジュール２２０）から始まる（ブロック６０５）。ユーザ（例えばプロセス工場のオペレータ）が、データ且つ又は情報表示優先順位を提供するべく制御ユーザーインタフェース要素且つ又はグラフィック（例えば、例示的な要素３２０）を選択すると（ブロック６１０）、オペレータ用表示モジュールが動的注視ユーザーインタフェース（例えば図４の例示的なインターフェース）を提示する（ブロック６１５）。ユーザがそれらの優先順位を入力した時点で（ブロック６２０）、オペレータステーション（例えば、例示的なコンテンツフィルタ・モジュール２３０）は、該当する安全オーバーライドのいかなるものを適用する（ブロック６２５）。コンテンツフィルタ・モジュールはそれからオペレータ用表示画面のどの要素を修正変更する必要があり、その変更をオペレータ用表示モジュールに通知するかを決定する（ブロック６３０）。その後、更新済オペレータ用表示画面を表示するべく、制御がブロック６０５に戻る。
【００４２】
図７は、図１且つ又は図２の例示的なオペレータステーション１１５のいかなるものまたは全てを実施するために使用且つ又はプログラムしうる例示的なプロセッサ・プラットフォーム７００の概略図である。例えば、プロセッサ・プラットフォーム７００は、一つ又は複数の凡用プロセッサ、プロセッサコア、マイクロコントローラなどにより実施することができる。
【００４３】
図７の実施の形態のプロセッサ・プラットフォーム７００は、汎用プログラム可能プロセッサ７０５を少なくとも一つ含んでいる。プロセッサ７０５は、プロセッサ７０５のメインメモリに（例えば、ＲＡＭ７１５且つ又はＲＯＭ７２０内に）あるコード化指令７１０且つ又は７１２を実行する。プロセッサ７０５は、プロセッサコア、プロセッサ且つ又は、マイクロコントローラなど、いかなるタイプの処理装置でありうる。ここに記載される例示的なオペレータステーション１１５を実施すべく、プロセッサ７０５はその他存在するものの中でも図６の例示的なプロセス実行しうる。プロセッサ７０５は、バス７２５を介して（ＲＯＭ７２０且つ又はＲＡＭ７１５を含む）メインメモリと通信状態にある。ＲＡＭ７１５は、ＤＲＡＭ、ＳＤＲＡＭ且つ又はその他いかなるタイプのＲＡＭ装置により実施しうる。ＲＯＭは、フラッシュメモリ且つ又はその他所望のいかなるタイプのメモリ素子により実施しうる。メモリ７１５および７２０へのアクセスは、メモリ制御器（図示せず）によって制御しうる。
【００４４】
プロセッサ・プラットフォーム７００はインターフェース回路７３０も含んでいる。インターフェース回路７３０は、ＵＳＢインターフェース、ブルートゥース・インターフェース、外部メモリインターフェース、シリアルポート、汎用入・出力など、いかなるタイプのインタフェース規格により実施しうる。一つ又は複数の入力装置７３５および一つ又は複数の出力装置７４０が、インターフェース回路７３０に接続される。例えば、ユーザーインタフェース２２５を図２の例示的な表示ディスプレイ２３５に提供するために、入力装置７３５且つ又は出力装置７４０を使用しうる。
【００４５】
特定の例示的な方法、機器および製造品をここに記載したが、本特許の適用範囲はそれに限定されるものではない。また、かかる実施の形態は、本発明の説明に役立つ非限定的な具体例として記載されているに過ぎず、本特許はむしろ字義的にもしくは均等論に基づいて添付の特許請求の範囲内に公正に含まれる方法、機器および製造品の全てを網羅するものである。
【図面の簡単な説明】
【００４６】
【図１】本発明の教示に従って構成された例示的なプロセス制御システムの概略図である。
【図２】図１の例示的なオペレータステーションを実施する例示的な方法を示す略図である。
【図３】オペレータ用表示画面且つ又はアプリケーション且つ又は、さらに概して言うと、図１の例示的なオペレータステーションを実施するために使用しうる例示的なユーザーインタフェースを示す略図である。
【図４】オペレータ用表示画面且つ又はアプリケーション且つ又は、さらに概して言うと、図１の例示的なオペレータステーションを実施するために使用しうる例示的なユーザーインタフェースを示す略図である。
【図５】オペレータ用表示画面且つ又はアプリケーション且つ又は、さらに概して言うと、図１の例示的なオペレータステーションを実施するために使用しうる例示的なユーザーインタフェースを示す略図である。
【図６】図１の例示的なオペレータステーションを実施するために行いうる例示的な工程を示すフローチャートである。
【図７】図６の例示的な工程且つ又は、さらに概して言うと図１の例示的なオペレータステーションを行うために使用且つ又はプログラムしうる例示的なプロセッサ・プラットフォームの概略図である。
【図１】
0005324865.tif 000002
【図２】
0005324865.tif 000003
【図３】
0005324865.tif 000004
【図４】
0005324865.tif 000005
【図５】
0005324865.tif 000006
【図６】
0005324865.tif 000007
【図７】
0005324865.tif 000008